(57)【要約】【課題】卓上用のデスクスタンドにおいて、蛍光ランプ及び保安灯としてのＬＥＤランプをセードに設けたハロゲンランプを備え、使用用途に応じてハロゲンランプ側セードを回動させることが可能なデスクスタンドを提供する。【解決の手段】フレキシブルアーム１１に蛍光ランプ３及びハロゲンランプユニット５を個々のセードに設けられたソケットにそれぞれ着脱可能に取り付け、更に各セードは連結具６を介して回動可能に分離することで、ハロゲンランプ側セード４は回動Ａ方向１６及び回動Ｂ方向１７へ回動させることが可能となり、前記ハロゲンランプ側セード４には保安灯のＬＥＤランプ８を複数個配置する。【選択図】      図２
2005183351.tif 000002
【特許請求の範囲】
【請求項１】
卓上用のデスクスタンドにおいて、フレキシブルアームに蛍光ランプ及びハロゲンランプユニットを着脱可能にソケットへ個々に取付け、各セードは連結具を介して回動可能に連結固定することで、ハロゲンランプ側セードは二軸方向へそれぞれが回動可能なことを特徴とするデスクスタンド。
【請求項２】
回動可能なハロゲンランプ側セード下面に保安灯としてのＬＥＤランプを複数個設けたことを特徴とする請求項１記載のデスクスタンド。
【請求項３】
クランプを備えた可倒式のアームに前記照明具を設けたことからなる請求項１または請求項２記載のデスクスタンド。
【発明の詳細な説明】
【技術分野】
【０００１】本発明は卓上用のデスクスタンドにおいて、ハロゲンランプ及び蛍光ランプを個々に備え、指向性を持たせたハロゲンランプは回動可能にすることで使用用途に応じて対応可能なデスクスタンドである。
【背景技術】
【０００２】従来のデスクスタンドにおいては、蛍光ランプ又は白熱ランプの何れかを設けたデスクスタンドが知られている。
【発明の開示】
【発明が解決しようとする課題】
【０００３】本発明の目的は、蛍光ランプ及びハロゲンランプを備え、ハロゲンランプには指向性を持たせ、更にハロゲンランプ側のセードを回動可能にすることで使用用途に応じて対応可能なデスクスタンドを提供する。
【課題を解決するための手段】
【０００４】フレキシブルアームに設けられたセード部の個々のソケットに蛍光ランプ及びハロゲンランプユニットをそれぞれ着脱可能に取り付け、更に個々のセードは連結具を介して固定ボルト及び圧入による連結手段により分離することで、ハロゲンランプ側のセードは回動Ａ方向及び回動Ｂ方向へ回動可能な構造になっている。【０００５】請求項２記載のデスクスタンドは、ハロゲンランプユニットが取付けられるセード下面にＬＥＤランプを複数個配置したことを特徴とする。【０００６】請求項３記載のデスクスタンドは、クランプ付きの可倒式アームに前記照明具を設けたデスクスタンドである。
【発明の効果】
【０００７】当核デスクスタンドにおいて、蛍光ランプ及び指向性を持たせたハロゲンランプをそれぞれ回動可能に連結分離し、更にハロゲンランプ側のセードを回動可能にすることで、指向性のあるハロゲンランプ光源を直接刊行物等に照射することで目の疲労を緩和する効果がある。【０００８】請求項２記載デスクスタンドは、回動可能なハロゲンランプ側のセードに保安灯としてのＬＥＤランプを複数個も設け、指向性のある保安球とすることで、例えば足下を照らすなど用途に応じた保安灯の効果がある。【０００９】請求項３記載のデスクスタンドは、クランプを備えたアームに前記照明具を設けることで、パソコンラック等に取付けパソコン周辺の照射は蛍光ランプとし、コンピューターキーボード部はハロゲンランプを直接照射することで、目の疲労を緩和及びディスプレーにランプの陰が写らない効果がある。
【発明を実施するための最良の形態】
【００１０】以下、本発明の実施の形態を図面を参照して説明する。
図１は、本実施形態のデスクスタンド本体１を下側から見た斜視図である。フレキシブルアーム１１に蛍光ランプ３及びハロゲンランプユニット５を個々のセードに設け、前記セード内部にはランプを着脱可能に取付可能なソケットを設けている。【００１１】図２は、ＬＥＤランプ８をハロゲンランプ側セード４の下面に設けた斜面図である。ハロゲンランプユニット５が取付けられるセード下面にＬＥＤランプ８を複数個設け、前記セードは連結具６により回動可能な構造なので指向性を持たせた保安灯が可能なる。【００１２】図３は本実施形態のデスクスタンド本体１を上側から見た斜視図である。ベース１４には切替スイッチ１５が備えられ、スイッチ操作により点灯順序が切り替わる構造としている。【００１３】図４は本実施形態のデスクスタンド本体１に設けられたセード部の分解斜視図である。蛍光ランプ側セード２は蛍光ランプソケット９及びハロゲンランプ側セード４はハロゲンランプソケット１０を設け、各ランプは着脱可能に取付ができる構造である。【００１４】図５、図６はセードを回動可能とする連結部の分解斜視図である。
蛍光ランプ側セード２とハロゲンランプ側セード４は連結具６により連結され、連結具６と蛍光ランプ側セード２は固定ボルト７により回動可能に固定され、ハロゲンランプ側セード４は連結具６と回動可能に圧入固定される。【００１５】図７、図８はハロゲンランプ側セード４の回動方向を示した斜視図である。図７において、ハロゲンランプ側セード４は固定ボルト７を軸として回動Ａ方向１６を１８０度の範囲内で回動し、更に回動Ｂ方向１７も１８０度の範囲内で回動可能な構造としている。【００１６】図９は、クランプ１３を備えた可倒式アーム１２に前記照明具を設けることで、パソコンラック等にも取付ることが可能である【００１７】以上により、当核デスクスタンド本体１において、蛍光ランプ光源は広い範囲を照射し、更に指向性を持たせたハロゲンランプ光源は用途に応じて適位置にハロゲンランプ側セード４を回動させてスポット照射をすることができ、ＬＥＤランプ８を具備することで適用範囲の広いデスクスタンドが可能となる。
【図面の簡単な説明】
【００１８】
【図１】  デスクスタンド本体の下側から見た斜視図
【図２】  ＬＥＤランプを設けたデスクスタンド本体の下側から見た斜視図
【図３】  デスクスタンド本体の上側から見た斜面図
【図４】  デスクスタンド本体におけるセード部の分解斜視図
【図５】  蛍光ランプ側セードにおける連結部の分解斜視図
【図６】  ハロゲンランプ側セードにおける連結部の分解斜視図
【図７】  ハロゲンランプ側セードをＡ方向へ回動させた斜視図
【図８】  ハロゲンランプ側セードをＢ方向へ回動させた斜視図
【図９】  可倒式アーム構造のデスクスタンド本体の下側から見た斜面図
【付号の説明】
【００１９】  １  デスクスタンド本体
２  蛍光ランプ側セード
３  蛍光ランプ
４  ハロゲンランプ側セード
５  ハロゲンランプユニット
６  連結具
７  固定ボルト
８  ＬＥＤランプ
９  蛍光ランプソケット
１０  ハロゲンランプソケット
１１  フレキシブルアーム
１２  可倒式アーム
１３  クランプ
１４  ベース
１５  切替スイッチ
１６  回動Ａ方向
１７  回動Ｂ方向
【図１】
2005183351.tif 000003
【図２】
2005183351.tif 000004
【図３】
2005183351.tif 000005
【図４】
2005183351.tif 000006
【図５】
2005183351.tif 000007
【図６】
2005183351.tif 000008
【図７】
2005183351.tif 000009
【図８】
2005183351.tif 000010
【図９】
2005183351.tif 000011